(57)【要約】【課題】  液晶表示装置等に使用される平面型の照明装置を薄型軽量に、かつ、低コストで構成することができるようにする。【解決手段】  導光部３と前記導光部３の端部に設置された光源部４とが一体的に構成された面発光板２が、平面状に複数配列された照明装置１において、前記面発光板２の光源部４と、隣接する他の面発光板２の導光部３とが平面的に重なり合うように構成し、面発光板２の上方に均一な輝度の光を照射可能とする。【選択図】  図２
2008192395.tif 000002
【特許請求の範囲】
【請求項１】
導光部と前記導光部の端部に設置された光源部とが一体的に構成された面発光板が、平面状に複数配列された照明装置において、
前記面発光板の光源部と、隣接する他の面発光板の導光部とが平面的に重なり合って配列されていることを特徴とする照明装置。
【請求項２】
前記導光部は断面が楔形の形状を有し、前記面発光板の光源部は前記楔形の肉厚部に設置され、前記隣接する他の面発光板の導光部は、前記楔形の肉薄部を前記面発光板の光源部に重ねて配列されていることを特徴とする請求項１に記載の照明装置。
【請求項３】
前記楔形の形状をなす上面と下面との間の角度が１°〜１０°であることを特徴とする請求項２に記載の照明装置。
【請求項４】
前記面発光板と前記隣接する他の面発光板とが平面的に重なり合う領域において、前記面発光板の上面には段差部が形成され、前記段差部に前記隣接する他の面発光板の端部が設置され、前記隣接する他の面発光板から前記面発光板へ光が導入されることを特徴とする請求項１〜３のいずれか１項に記載の照明装置。
【請求項５】
前記面発光板の光源部の表面には反射面が形成されていることを特徴とする請求項１〜４のいずれか１項に記載の照明装置。
【請求項６】
前記導光部の表面は、光を拡散する光拡散面であることを特徴とする請求項１〜５のいずれか１項に記載の照明装置。
【請求項７】
前記光拡散面は、前記導光部の表面に多数のＶ溝が形成された構成であることを特徴とする請求項６に記載の照明装置。
【請求項８】
前記導光部の表面と前記Ｖ溝の傾斜面とのなす角度が０．２５°〜３．０°であり、前記Ｖ溝のピッチが０．２５μｍ〜２００μｍであることを特徴とする請求項７に記載の照明装置。
【請求項９】
前記光源部は、発光ダイオードと前記発光ダイオードからの熱を放熱するための放熱部材を有することを特徴とする請求項１〜８のいずれか１項に記載の照明装置。
【請求項１０】
前記発光ダイオードは青色発光ダイオードであり、前記光源部は赤色蛍光体と緑色蛍光体とを有することを特徴とする請求項９に記載の照明装置。
【請求項１１】
前記面発光板の下部に配置された反射板と、前記反射板の下部に配置されたフレームとを更に備え、前記放熱部材が前記フレームに接続され、前記発光ダイオードからの熱を前記フレームに放熱する構成を有することを特徴とする請求項９又は請求項１０に記載の照明装置。
【請求項１２】
照明装置と、前記照明装置の上に配置された液晶表示素子とから構成される液晶表示装置において、
前記照明装置は、導光部と前記導光部の端部に設置された光源部とが一体的に構成された面発光板が、平面状に複数配列されており、前記面発光板の光源部と、隣接する他の面発光板の導光部とが平面的に重なり合って配列されている液晶表示装置。
【請求項１３】
前記液晶表示素子に画像データを出力する画像データ出力回路と、前記照明装置を駆動するための照明駆動回路とを備え、前記照明駆動回路は、前記画像データを入力して前記照明装置を構成する複数の面発光板のそれぞれの光源部を前記画像データに応じて制御することを特徴とする請求項１２に記載の液晶表示装置。
【発明の詳細な説明】
【技術分野】
【０００１】
本発明は、液晶表示装置等を背面から照明するために用いられる平面型バックライト装置及びこれを用いた液晶表示装置に関する。
【背景技術】
【０００２】
液晶表示装置が広く普及している。液晶表示装置は、液晶表示パネルとその背面に設けた平面型バックライトから構成されている。近年、液晶表示パネルの大型化に伴い、平面型バックライトも大型化が進んでいる。大型の平面型バックライトに求められる機能は、高輝度でありかつ発光面全域で輝度が均一であること、薄型でありかつ軽量であること、製造コストの上昇を抑えること、などを挙げることができる。特に、構成部材の大型化に伴い組み立てラインが大型化し、設備投資が増大すると共に、不良品の発生は製造コスト上昇の大きな要因となる。
【０００３】
図８は、従来から知られている液晶表示装置１００の断面図である（例えば、特許文献１を参照）。液晶表示パネル１０５の下部にはバックライト１０７が設置されている。バックライト１０７は、外装ケース１０６、外装ケース１０６の中に収納されている２つの光源１０１ａ、１０１ｂ、２分割された導光体１０４ａ、１０４ｂ、光源１０１ａ、１０１ｂの外周及び導光体１０４ａ、１０４ｂの下部に設置された反射板１０２、導光体１０４ａ、１０４ｂから出射される光を所定の方向に拡散させる拡散板１０３から構成されている。本例の場合は、バックライトの大型化に対応するために、光源１０１ａ、１０１ｂを左右に配置し、導光体を中心部で分割して左側の導光体１０４ａには左側の光源１０１ａから光を導光し、右側の導光体１０４ｂには右側の光源１０１ｂから導光している。
【０００４】
図９は、従来から知られている面光源装置１１０の分解斜視図である（例えば、特許文献２を参照）。面光源装置１１０は、２枚の拡散板１１２、１１５の間に、分割された光学フィルムが挟まれている。即ち、４分割されたサブ選択反射型フィルム１１３及び４分割されたサブ反射型偏光フィルム１１４である。拡散板１１２の下部にはフレーム１１６に収納された光源１１１が複数本並べられている。本例においては、サブ選択反射型フィルム１１３やサブ反射型偏光フィルム１１４を分割することにより、面光源装置１１０の大型化に対応しようとしている。
【特許文献１】特開平５−１５８０３５号公報
【特許文献２】特開２００６−１２０５８４号公報
【発明の開示】
【発明が解決しようとする課題】
【０００５】
しかしながら、図８に示すバックライト１０７では、外装ケース１０６の側面部に光源１０１を配置して、導光体１０４の端部から光を導入する。そのために、バックライト１０７が大型化するにつれて、光量が不足してくる、という課題があった。また、導光体１０４の大型化に伴って導光体１０４を物理的には２分割以上に分割することができるが、分割した導光体の境界で光が反射され、均一な輝度の光を出射させることが難しい、という課題があった。また、境界での反射を防止して各導光板を接着することもできるが、キズや汚れ等の不良が発見された場合に、接着された導光板全体を交換しなければならず、導光板を分割した利点を生かすことができない、という課題があった。
【０００６】
また、図９に示す面光源装置１１０においては、複数の複数の光源１１１がフレーム１１６に取り付けられて拡散板１１２の下部に設置されている。大型面発光源のこの種の光源１１１としては冷陰極蛍光ランプ（以下ＣＣＦＬという）が使用されている。拡散フィルム１１５から出射する光の高輝度化、全面に渡る輝度の均一化のために、多数のＣＣＦＬが使用されている。そのために、ＣＣＦＬを収納するフレーム１１６は厚くなり、重量が重くなる、という課題があった。また、発光面の大きさに応じたＣＣＦＬを作成しなければならず、構成部材の共通化が図り難い、という課題があった。
【０００７】
また、近年、大型液晶表示装置においては、発光源の輝度を領域ごとに調整可能とするエリアコントロール方式が採用される場合がある。この方式では、液晶表示装置の表示画面に応じてバックライトの光量をバックライトのエリアごとに調光する。図８の液晶表示装置１００では高々左右の領域の輝度が制御できる程度であり、図９の面光源装置では縦又は横の一方向の領域の輝度が制御できる程度であり、いずれも調光可能エリアが少ないという課題があった。また、光源としてＣＣＦＬを使用する場合には、各ＣＣＦＬにインバータ回路を設けて調光する必要があることから、構成部品が増加して重量及び体積が増加する、という課題があった。
【課題を解決するための手段】
【０００８】
上記課題を解決するために、本発明の照明装置は、導光部と前記導光部の端部に設置された光源部とが一体的に構成された面発光板が、平面状に複数配列された照明装置において、前記面発光板の光源部と、隣接する他の面発光板の導光部とが平面的に重なり合って配列されることとした。
【０００９】
また、前記導光部は断面が楔形の形状を有し、前記面発光板の光源部は前記楔形の肉厚部に設置され、前記隣接する他の面発光板の導光部は、前記楔形の肉薄部を前記面発光板の光源部に重ねて配列されることとした。
【００１０】
また、楔形の形状をなす上面と下面との間の角度が１°〜１０°であることとした。
【００１１】
また、面発光板と隣接する他の面発光板とが平面的に重なり合う領域において、面発光板の上面には段差部が形成され、段差部に隣接する他の面発光板の端部が設置され、隣接する他の面発光板から面発光板へ光が導入されることとした。
【００１２】
また、面発光板の光源部の表面に反射面を形成することとした。また、導光部の表面を光拡散機能を有するプリズム面とした。このプリズム面を、導光部の表面に多数のＶ溝が形成された構成とした。さらに、導光部の表面とこのＶ溝の傾斜面との間の角度を０．２５°〜３．０°とし、Ｖ溝のピッチを０．２５μｍ〜２００μｍとした。
【００１３】
また、光源部は、発光ダイオードと発光ダイオードからの熱を放熱するための放熱部材を有することとした。また、この発光ダイオードを青色発光ダイオードとし、光源部に赤色蛍光体と緑色蛍光体とを設けることとした。また、面発光板の下部に配置された反射板と、反射板の下部に配置されたフレームとを更に設け、放熱部材がフレームに接続され、発光ダイオードからの熱をフレームに放熱する構成とした。
【００１４】
また、本発明の液晶表示装置は、照明装置とその上に配置された液晶表示素子を備えており、その照明装置は、導光部とその端部に設置された光源部とが一体的に構成された面発光板が、平面状に複数配列されており、面発光板の光源部と、隣接する他の面発光板の導光部とが平面的に重なり合って配列された構成である。
【００１５】
また、本発明に係る液晶表示装置は、液晶表示素子に画像データを出力する画像データ出力回路と、照明装置を駆動するための照明駆動回路とを備え、照明駆動回路は、画像データを入力して複数の面発光板のそれぞれの光源部を画像データに応じて制御することとした。
【発明の効果】
【００１６】
本発明の照明装置によれば、導光体と光源部とを一体的に構成した面発光板が平面状に複数配列しており、隣接する面発光板は光源部と導光部とが重なるように配列されているので、一つの面発光板が不良になる場合でも、不良の面発光板のみを交換すればよく、導光部全体を交換する必要がないので、製造コスト低減に大きく寄与することができる、という利点を有する。
【発明を実施するための最良の形態】
【００１７】
以下、図面を用いて本発明を詳細に説明する。
【００１８】
＜実施例１＞
図１は、本発明に係る照明装置の実施例１を表し、照明装置の基本態様を説明するための図である。図１（ａ）は、４枚の面発光板から構成される照明装置の斜視図であり、図１（ｂ）は、面発光板を分離した状態を示す斜視図であり、図１（ｃ）は、接続した２枚の面発光板の断面図である。同一の部分又は同一の機能を表す部分は同一の符号を付した。
【００１９】
図１（ａ）に示すように、照明装置１は平面状に配列する４枚の面発光板２ａ、２ｂ、２ｃ、２ｄにより構成されている。図１（ｂ）に示すように、面発光板２ａ〜２ｄは分離可能に配置されている。面発光板２ａ〜２ｄは基本的に同一の形状及び構成である。図１（ｃ）に示すように、面発光板２ａは、導光部３ａと光源部４ａから一体的に形成されている。面発光板２ａの光源部４ａと面発光板２ｂの導光部３ｂとが重なり合って配置されている。
【００２０】
ここで、光源部４ａで発光した光は導光部３ａの上面６ａ及び下面５ａの間を伝達し、板状の導光部３ａ全面に渡って拡散する。面発光板２ｂも同様である。また、面発光板２ａと面発光板２ｂとは傾斜面８ａ及び傾斜面７ｂにおいて当接している。そのために、面発光板２ｂの導光部３ｂを伝達して傾斜面７ｂに達した光は、面発光板２ａの傾斜面８ａから入射することができる。その結果、面発光板２ａの光源部４ａの上部近傍と面発光板２ｂの導光部３ｂ先端部との輝度むらを低減させることができる。また、導光部３ａ、３ｂの傾斜面７ａ、７ｂ及び下面５ａ、５ｂに光散乱面やプリズム面を形成することができる。あるいは、傾斜面７ａ、７ｂ及び下面５ａ、５ｂの下部に光散乱板を設置して光を上方に散乱させることができる。また、傾斜面７ａ、７ｂと下面５ａ、５ｂとが交差する屈曲部を滑らかな円弧状にして、上面６ａ、６ｂから出射する光の輝度むらを低減することができる。
【００２１】
なお、光源部４ａ（４ｂ）に埋め込む、あるいは導光部３ａ（３ｂ）に取り付ける光源として、発光ダイオード、ＥＬ、その他の小型発光源を使用することができる。導光部３として、ポリカーボネイト樹脂、アクリル樹脂若しくはゼオノアフィルム（登録商標）などの透明合成樹脂やガラス等の無機材料を用いることができる。導光部３は、透明合成樹脂の射出成形により形成することができる。また、面発光板２ａの傾斜面８ａと面発光板２ｂの傾斜面７ｂとの間に、所定の屈折率を有する粘着性の連結材を充填することができる。これにより、光が導光部３ｂから導光部３ａへ入射する光の反射ロスが低減し、境界領域で発生しやすい輝度むらを抑制することができる。
【００２２】
このように、面発光板の光源部と隣接する面発光板の導光部とを重ねて配置することにより、輝度むらや光の隙間を無くした照明装置を構成することができる。また、照明の必要な装置の大きさに合わせて面発光板を配列すればよいので、部材等の設計や製造工程を削減することができる。また、一部の面発光板にキズや汚れが付着して交換が必要なときに、そのキズや汚れが付着した面発光板のみを交換すればよい。これにより、製造歩留りを向上させ、低コストで製造及び修理を行うことができる。
【００２３】
＜実施例２＞
図２は、本発明に係る照明装置の実施例２を表し、図２（ａ）は照明装置の断面図であり、図２（ｂ）は上面図である。同一の部分又は同一の機能を有する部分は同一の符号を付している。
【００２４】
図２（ａ）に示すように、導光部３ａ、３ｂは楔形の形状である。導光部３ａ（３ｂ）と光源部４ａ（４ｂ）は一体的に構成されており、導光部３ｂと光源部４ａの境界付近には段差面１０ａが形成されている。楔形の肉厚部に光源部４ａ、４ｂが設置されている。また、楔形の肉薄部が隣接する面発光板の光源部に重なるように配置されている。即ち、面発光板２ａの光源部４ａと面発光板２ｂの導光部３ｂが重なるように配列されている。また、面発光板２ａの段差面１０ａに面発光板２ｂの端面９ａが当接している。これにより、面発光板２ｂの導光部３ｂを伝播してきた光は、段差面１０ａを介して面発光板２ａに入射する。これにより、段差面近傍での輝度むらを低減することができる。
【００２５】
導光部をこのような楔形状とすることにより、導光部３ａ、３ｂの下面５ａ、５ｂ及び上面６ａ、６ｂに屈曲部がなくなり、面発光板２ａ、２ｂから出射する出射光の輝度むらを低減させることができる。また、実施例１で説明したように、段差面１０ａと端面９ｂとの間に所定の屈折率の連結材を充填し、境界部において反射ロスを減少させ、輝度むらの発生を低減させることができる。また、段差面１０ａ、１０ｂ及び端面９ａ、９ｂは上面６ａ、６ｂに対して垂直である必要はなく、傾斜するように形成してもよい。
【００２６】
なお、上記楔形の下面５ａと上面６ａとの間の角度θは１°〜１０°の範囲に設定することが好ましい。本実施例では、面発光板２ａ、２ｂは５インチ〜１０インチのユニットを想定している。このため、角度θが１０°以上では、導光部３ａ、３ｂの厚さが厚くなり、角度θが１°未満では、段差面１０ａ、１０ｂの高さが大きく、光源部４ａ、４ｂの厚さが薄くなるためである。
【００２７】
＜実施例３＞
図３に本実施例の照射装置を表す。図３（ａ）が面発光板の断面図、図３（ｂ）がその部分拡大図である。同一の部分又は同一の機能を表す部分には同一の部号を付した。
【００２８】
図３（ａ）に示すように、面発光板２の導光部３は楔形の形状を有しており、その下面５には光散乱処理が施されている。光散乱処理はサンドブラスト等により粗面処理を施してもよいし、エッチングや印刷により表面に凹凸を形成してもよい。また、導光部３を射出成形により形成する際に、同時に光散乱面やプリズム面を形成してもよい。なお、光散乱面は、導光部３ａ、３ｂの上面６ａ、６ｂに形成してもよい。
【００２９】
図３(ｂ)は、導光部３の部分拡大断面図であり、下面５にＶ溝を形成した状態を表している。Ｖ溝は光の入射方向に対して直行する方向に形成している。即ち、紙面に垂直方向にＶ溝を形成している。Ｖ溝のピッチＰは５０μｍ〜２００μｍとするのが好ましい。Ｖ溝の底部の幅Ｌは４０μｍ〜１５０μｍとするのが好ましい。また、Ｖ溝の傾斜面とＶ溝の底辺１１とがなす角度φを０．２５°〜３．０°とするのが好ましい。ピッチＰが５０μｍ以下では製造コストが高くなり、２００μｍを超えるとＶ溝を人間の目が識別できるようになるためである。また、角度φが０．２５°より小さくすると光の上方への散乱効率が低下し、φが３．０°以上では光源部４に近い領域と光源部４から遠い領域との間で光の散乱強度差が大きくなり、輝度むらが発生するからである。
【００３０】
また、Ｖ溝は導光部３の上面６にも形成することができる。この場合は、上面６に形成するＶ溝は下面５に形成したＶ溝の方向と直行する方向とする。下面５及び上面６に形成したＶ溝によるモアレ縞等の不具合の発生を防止するためである。なお、下面５及び上面６の両面にＶ溝を形成した場合、Ｖ溝方向が互いに直行するように形成すればよく、入射光の方向は問わない。
【００３１】
＜実施例４＞
図４は、本発明に係る照明装置の実施例４を表し、図４（ａ）が２枚の面発光板２ａ、２ｂを接続して配置した状態の斜視図であり、図４（ｂ）は、接続部分を拡大した部分断面図である。同一の部分又は同一の機能を有する部分は同一の符号を付した。
【００３２】
図４（ａ）において、導光部３ａ（３ｂ）は楔形の形状を有し、その肉厚部には光源部４ａ（４ｂ）が一体的に形成されている。導光部３ａ（３ｂ）の肉薄部は隣接する面発光板の光源部に重なるように載置される。互いに隣接する面発光板の上面６ａ及び上面６ｂは略同一の平面を構成する。光源部４ａ（４ｂ）は、導光部３ａ（３ｂ）から延在する延在部１５ａ（１５ｂ）と、その延在部１５ａ（１５ｂ）に設置される光源１４ａ（１４ｂ）と、光源１４ａ（１４ｂ）に電力を供給するためのフレキシブルプリント回路基板（以下、ＦＰＣという）１２ａ（１２ｂ）と、光源１４ａ（１４ｂ）から発生する熱を放熱するための放熱部材１３ａ（１３ｂ）と、を備えている。導光部３ａ（３ｂ）の下面５ａ（５ｂ）と上面６ａ（６ｂ）には互いに直交するＶ溝が形成されている。放熱部材１３ａ（１３ｂ）とＦＰＣ１２ａ（１２ｂ）又は光源１４ａ（１４ｂ）とは図示しない熱伝導性接着剤により接着している。
【００３３】
光源１４ａ、１４ｂは青色発光ダイオードを使用している。光源１４ａ（１４ｂ）の周囲には第１蛍光体層１６ａ（１６ｂ）が形成されている。第１蛍光体層１６ａの前方の延在部１５ａ（１５ｂ）には凹溝状の第２蛍光体層１７ａが形成されている。光源１４ａで発光した光の蛍光を得るために設けている。本実施例では光源１４ａとして青色発光ダイオードを使用し、第１蛍光体層１６に赤色蛍光体を充填し、第２蛍光体層には緑色蛍光体を充填している。シリコン、エポキシ又はアクリル等の樹脂に蛍光体を混合した混合樹脂を形成して充填する。充填の際には、延在部１５ａ（１５ｂ）と混合樹脂との間に隙間を作らないようにする。また、混合樹脂にシリカやアクリル等の材料と屈折率の異なる透光性材料を分散添加して入射光又は蛍光を拡散させるようにしてもよい。
【００３４】
青色発光ダイオードによる青色光、その青色光から赤色蛍光を発光させ、更に緑色蛍光を発光させている。これにより、演色性の高い白色光を得ることができる。また、発光ダイオード及び蛍光体層を導光部３ａ（３ｂ）から延在する延在部１５ａ（１５ｂ）に埋め込むように構成したので、面発光板２ａ（２ｂ）の厚さを薄くすることができる。面発光板２ａ（２ｂ）を多数使用して照明装置１の大面積化を図っても、照明装置１の厚さが増大しないという利点を有する。また、面発光板２ａ（２ｂ）ごとに光源を有するので、照明装置１の大面積化を図っても、均一で高い光輝度の照明装置を構成できるという利点を有する。また、大面積化を図る場合にも、各部材や製造及び組み立てラインを大型化する必要がなく、更に部材の共通化を図ることができる、という利点を有する。
【００３５】
放熱部材１３ａ（１３ｂ）は光源１４ａ（１４ｂ）により発生する熱を外部に伝達し、光源１４ａ、１４ｂが高温となって発光効率が低下することを抑制している。その結果、光源１４ａとして青色発光ダイオードを使用する場合に、青色発光ダイオードに大電流を流すことが可能となり、高輝度の発光を得ることができる。また、赤色、緑色及び青色の各波長を加法混色して白色光を得るので、演色性に優れている。また、発光ダイオードを使用するので、ＣＣＦＬや従来から使用されてきている白色ＬＥＤと比較して、長寿命でありかつ温度特性に優れている。なお、第１蛍光体層１６ａに赤色蛍光体を充填し、第２蛍光体層１７ａには緑色蛍光体を充填したが、これに代えて、第１蛍光体層１６ａに緑色蛍光体を、第２蛍光体層１７ａに赤色蛍光体を充填することもできる。しかし、第２蛍光体層に赤色蛍光体を充填すると、青色の光と共に緑色の光によっても赤色蛍光体は発光し、緑色を吸収するので、色バランスの調整が難しくなる。従って、第１蛍光体層に赤色蛍光体を、第２蛍光体層に緑色蛍光体を充填するのが好ましい。
【００３６】
赤色蛍光体として、硫化物にユーロピウムをドープしたＣａＳ：ＥｕやＳｒＳ：Ｅｕや、窒化物系のＣａＳｉＮ2：ＥｕやＣａＡｌＳｉＮ3：Ｅｕ等の蛍光体を使用することができる。緑色蛍光体として、（Ｂａ，Ｓｒ）ＳｉＯ4：ＥｕやＣａ3Ｓｃ2Ｓｉ3Ｏ12：ＣｅのシリケートやＳｒＧａ2Ｓ4のような硫化物蛍光体を使用することができる。赤色蛍光体として、上記の他に(Ｃａ,Ｓｒ)2Ｓｉ5Ｎ8：Ｅｕ等を使用することができる。また、緑色蛍光体として、Ｙ３（Ａｉ，Ｇａ）5Ｏ12：Ｃｅ、Ｓｒ−ＳｉＯＮ：Ｅｕ等を使用することができる。なお、硫化物系蛍光体は湿気に弱い特色がある。そのため、蛍光体粒子の表面に透明酸化膜等のコーティングを施す、また、混合樹脂として透湿度の低いエポキシ系樹脂を使用する、ことが好ましい。
【００３７】
また、上記実施例では、青色発光ダイオードを光源として赤色蛍光体、緑色蛍光体を使用して白色光を得たが、これに代えて、光源１４ａ、１４ｂとして近紫外線発光ダイオードを使用し、新たに青色蛍光体を充填した第３蛍光体層を形成するようにしてもよい。この場合、赤色蛍光体として、Ｙ2Ｏ2Ｓ：Ｅｕ、Ｌａ2Ｏ2Ｓ：Ｅｕ、ＬｉＷ2Ｏ８：Ｅｕ，Ｓｍ、（Ｓｒ，Ｃａ，Ｂａ，Ｍｇ）10（ＰＯ4）6Ｃｌ2：Ｅｕ，Ｍｎ、Ｂａ3ＭｇＳｉ2Ｏ8：Ｅｕ，Ｍｎ等を使用することができる。緑色蛍光体として、ＺｎＳ：Ｃｕ，Ａｌ、ＢａＭｇＡｌ10Ｏ17：Ｅｕ，Ｍｎ、ＳｒＡｌ2Ｏ4：Ｅｕ等を使用することができる。青色蛍光体として、（Ｓｒ，Ｃａ，Ｂａ，Ｍｇ）10（ＰＯ4）6Ｃｌ2：Ｅｕ、（Ｂａ，Ｓｒ）ＭｇＡｌ10Ｏ17：Ｅｕ、（Ｓｒ，Ｂａ）3ＭｇＳｉ2Ｏ8：Ｅｕ等を使用することができる。好ましくは、赤色蛍光体としてＢａ3ＭｇＳｉ2Ｏ8：Ｅｕ，Ｍｎを、緑色蛍光体としてＳｒＡｌ2Ｏ4：Ｅｕを、青色蛍光体として（Ｓｒ，Ｂａ）3ＭｇＳｉ2Ｏ8：Ｅｕを使用する。
【００３８】
＜実施例５＞
図５は、実施例４に示した面発光板２ａを６枚用いて構成した照明装置１の分解斜視図である。同一の部分又は同一の機能の部分には同一の符号を付した。図５において、発光面は６枚の面発光板２ａ〜２ｈから構成している。面発光板２ａ〜２ｈの下部には、反射板１９、その下部にはフレーム１８が設置される。面発光板２ａ〜２ｈの上部には、拡散板２０を配置し、周囲を枠２１により固定している。フレーム１８には複数の孔が形成され、光源部４ａの放熱部材１３ａを貫通させる。そして、放熱部材１３ａとフレーム１８とを接着してフレーム１８を放熱フィンとして機能させている。これにより、光源部４ａの光源１４ａで発生した熱を効率よく放出することができる。光源１４ａとして発光ダイオードを使用する場合に、発光ダイオードの温度上昇を抑制することが可能となり、大電流を流して高輝度化を実現することができる。
【００３９】
図５において、８枚の面発光板２ａ〜２ｈを近接して面発光源５０としているが、面発光板２ａ〜２ｈの数は増減することができる。また、各面発光板２ａ〜２ｈに並列に駆動電源を設けることにより各面発光板２ａ〜２ｈの輝度を独立して調整することができる。これにより、例えば液晶表示素子を上方に設置して液晶表示装置のバックライトとして使用する場合に、液晶表示素子を８つのエリアに分割してバックライトの輝度制御を行うことが可能となる。液晶表示素子に表示される画像の性質に応じて、８つの面発光板２ａ〜２ｈの輝度を個別に高速度で調光することができるからである。また、製造工程中に、又は、完成後の使用中に、いずれかの面発光板２ａ〜２ｈにキズや汚れ、あるいは光源１４の故障等があった場合であっても、その不良部分の面発光板２を取り替えることにより容易に修理、修復することが可能となる。そのため、製造コストを低下させ、また、修理費用を低減することができる。
【００４０】
＜実施例６＞
図６は、本発明に係る照明装置の実施例６を表し、面発光板２を拡大した部分断面図である。同一の部分又は同一の機能を有する部分は同一の符号を付した。
【００４１】
面発光板２ａの光源部４ａと面発光板２ｂの導光部３ｂとが重なる領域の光源部４ａの上部表面２３には遮光層２４が形成されている。その他の部分は図４（ｂ）に示した実施例４と同様なので説明を省略する。本実施例のように遮光層２４を形成することにより、光源部４ａから発光した光が上方に直接照射されて、面発光板２ａ又は２ｂに輝度むらが生ずることを防止することができる。遮光層２４として、金属フィルムや黒色樹脂を使用することができる。遮光層２４をアルミニュウム等の光反射膜として光源１４ａの発光を導光部３ａ側へ導くようにすれば、光の利用効率をより高めることができる。
【００４２】
＜実施例７＞
図７は、本発明に係る液晶表示装置３０の実施例７を表す断面図である。同一の部分又は同一の機能を表す部分は同一の符号を付している。図７において、液晶表示装置３０は、バックライトをなす照明装置１と、その上に載置した液晶表示素子２８とから構成されている。照明装置１は、複数の面発光板２ａ〜２ｃと、その下部に設置した反射板１９と、その下部に設置したフレーム１８と、複数の面発光板２ａ〜２ｃの上に設置した拡散板２０と、これらを一体的に係合している枠２２から構成されている。フレーム１８は、面発光板２ａ〜２ｃの図示しない光源から放出される熱を、光源とフレーム１８との間に接続して設けた図示しない放熱部材を介して放熱可能としている。照明装置１の上部には、偏光板２５、液晶パネル２６及び偏光板２７から構成されている液晶表示素子２８が配設されている。
【００４３】
液晶表示素子２８と照明装置１は図示しない表示制御回路により駆動される。照明装置１を構成する面発光板２ａ〜２ｃは、個別に調光が可能である。従って、液晶制御回路が液晶表示データを解析して、液晶表示データに応じた輝度に個々の面発光板２ａ〜２ｃを調光することができる。
【図面の簡単な説明】
【００４４】
【図１】本発明の実施例１に係る照明装置の説明図である。
【図２】本発明の実施例２に係る照明装置の断面図及び上面図である。
【図３】本発明の実施例３に係る照明装置の断面図である。
【図４】本発明の実施例４に係る照明装置の斜視図及び断面図である。
【図５】本発明の実施例５に係る照明装置の分解斜視図である。
【図６】本発明の実施例６に係る照明装置の断面図である。
【図７】本発明の実施例７に係る液晶表示装置の断面図である。
【図８】従来公知の液晶表示装置の断面図である。
【図９】従来公知の面発光装置の分解斜視図である。
【符号の説明】
【００４５】
１  照明装置
２ａ、２ｂ、２ｃ、２ｄ、２ｅ、２ｆ、２ｈ  面発光板
３ａ、３ｂ  導光部
４ａ、４ｂ  光源部
５ａ、５ｂ  上面
６ａ、６ｂ  下面
７ａ、７ｂ、８ａ、８ｂ  傾斜面
９ａ、９ｂ  端面
１０ａ、１０ｂ  段差面
１１  Ｖ溝
１２ａ、１２ｂ  ＦＰＣ
１３ａ、１３ｂ  放熱部材
１４ａ、１４ｂ  光源
１５ａ、１５ｂ  延在部
１６  第１蛍光体層
１７  第２蛍光体層
【図１】
2008192395.tif 000003
【図２】
2008192395.tif 000004
【図３】
2008192395.tif 000005
【図４】
2008192395.tif 000006
【図５】
2008192395.tif 000007
【図６】
2008192395.tif 000008
【図７】
2008192395.tif 000009
【図８】
2008192395.tif 000010
【図９】
2008192395.tif 000011